(57)【要約】【課題】インターフェース部をカバーするキャップの取り付けが容易であり、且つ、当該キャップの抜けがより確実に防止される携帯電子機器を提供する。【解決手段】キャップ５１の端部は、厚肉部６６が形成され、送話筐体３に係合する係合舌片５５を有し、送話筐体３は、キャップ５１が取り付けられた際にキャップ外側面と連続する表面を形成するフロント第１壁部３５と、フロント第１壁部３５から筺体内側に一段入り込むとともにキャップ５１が取り付けられた際にキャップ内側面に対向するフロント第２壁部３６とを有する。フロント第１壁部３５とフロント第２壁部３６との間には係合孔４６が形成されている。係合舌片５５が係合孔４６に挿入される際、フロント第２壁部３６が内側に撓むことにより厚肉部６６の嵌入を許容し、フロント第２壁部３６が撓む前の形状に復元することにより厚肉部６６の抜けを防止する。【選択図】図２
2007324714.tif 000002
【特許請求の範囲】
【請求項１】
インターフェース部と、
当該インターフェース部が取り付けられる回路基板と、
開口部を有するとともに当該開口部から前記インターフェース部が露出されるよう前記回路基板を内包する筐体と、
前記開口部をふさぐキャップと
を備え、
前記キャップは、一端から延在されるとともに先端に厚肉部が形成され、前記筐体に係合する係合舌片を有し、
前記筐体は、
前記キャップが取り付けられた際にキャップ外側面と連続する表面を形成する第１の壁部と、
当該第１の壁部から筺体内側に入り込むとともに前記キャップが取り付けられた際にキャップ内側面に対向する第２の壁部と
を有し、
前記開口部は、前記第２の壁部に形成され、
前記第１の壁部と第２の壁部との間には、前記係合舌片の入り込む係合孔が、前記第２の壁部が当該係合孔を規定する孔縁部の一部を成すよう形成され、
前記係合舌片が前記係合孔に挿入される際、前記第２の壁部が内側に撓むことにより前記厚肉部の嵌入を許容し、前記第２の壁部が撓む前の形状に復元することにより前記厚肉部の抜けを防止する
ことを特徴とする携帯電子機器。
【請求項２】
前記回路基板のうち前記第２の壁部の筐体内側面に沿う縁部には、前記係合舌片が前記係合孔に挿入される際の前記第２の壁部の撓みを許容する切り欠き部が形成されている
ことを特徴とする請求項１に記載の携帯電子機器。
【請求項３】
前記回路基板のうち前記第２の壁部の筐体内側面に沿う縁部の少なくとも一部は、前記係合孔から離れた位置にて前記第２の壁部に当接している
ことを特徴とする請求項１または２に記載の携帯電子機器。
【請求項４】
前記第２の壁部は、前記孔縁部の一部を成す部分が前記第１の壁部の筐体内側位置まで延長されて構成されている
ことを特徴とする請求項１から３のいずれか一項に記載の携帯電子機器。
【請求項５】
前記筐体は、互いに対向して固定される第１の筐体及び第２の筐体を有し、
前記第１の筐体は、前記第２の筐体側へ突出し、縁部が前記第２の筐体に突き当てられ、前記第２の壁部の少なくとも一部を構成する第３の壁部を有し、
前記係合舌片が前記係合孔に挿入される際の前記第２の壁部の撓みには、前記第３の壁部の前記縁部を自由端とする前記第３の壁部の撓みが含まれる
ことを特徴とする請求項１から４のいずれか一項に記載の携帯電子機器。
【請求項６】
前記第２の壁部は、前記第１の壁部よりも薄く形成されている
ことを特徴とする請求項１から５のいずれか一項に記載の携帯電子機器。
【請求項７】
前記肉厚部は、前記係合孔への挿入方向に垂直な断面形状が、前記第３の壁部の前記縁部側ほど幅広く形成されている
ことを特徴とする請求項５に記載の携帯電子機器。
【発明の詳細な説明】
【技術分野】
【０００１】
本発明は、携帯電話機等の携帯電子機器に関する。
【背景技術】
【０００２】
携帯電話機等の携帯電子機器では、一般に、パーソナルコンピュータ等の他の機器と接続するためのインターフェース部（例えばコネクタ）が設けられている。インターフェース部は携帯電子機器の筐体内部の回路基板に設けられるとともに、筐体に設けられた開口部から露出可能である。筐体には、インターフェース部の不使用時に開口部を塞いでインターフェース部を保護するために、開口部を開閉可能にキャップが装着されている。このようなキャップの筐体への取付方法として、種々のものが提案されている。
【０００３】
特許文献１及び２では、キャップにゴムなどの弾性材により形成された係合部（爪部）を設け、その係合部を弾性変形させつつ、筐体に設けられた係合孔に挿入することにより、キャップを筐体に装着する技術が開示されている。
【０００４】
特許文献３では、互いに固定されて筐体を構成する前ケース及び後ケースの固定前に、筐体内側に係合部が、筐体外側にキャップ本体が位置するように、後ケースの切り欠き部にキャップを挿通し、その後、前ケースと後ケースとを互いに固定することにより、キャップを筐体に対して固定する技術が開示されている。
【０００５】
特許文献４では、筐体に、キャップの係合部を挿入可能な形状の第１の開口部と、係合部を挿入不可能な形状の第２の開口部とを互いに連通させて形成し、係合部を第１の開口部から挿入した後に第２の開口部へ移動させることにより、キャップを筐体に装着する技術が開示されている。
【特許文献１】特開２００３−２５８９６４号公報
【特許文献２】特開２００３−２７２７５３号公報
【特許文献３】特開２００２−３５２８９９号公報
【特許文献４】特開２００２−９９１１号公報
【発明の開示】
【発明が解決しようとする課題】
【０００６】
特許文献１や特許文献２の技術では、キャップに設けられた係合部の変形によって係合部を係合孔に挿入可能に、比較的剛性の低いゴムなどの弾性材によって係合部が構成されている。このため、係合部は引抜方向に力が加えられたときにも変形可能であり、係合部が係合孔から抜け易い。特許文献３の技術では、係合孔に係合部を挿入するだけのキャップの装着方法に比較して装着が難しい。特許文献４の技術では、ユーザが簡単にキャップを取り外すことができ、キャップが紛失されてしまうおそれがある。
【０００７】
本発明の目的は、インターフェース部をカバーするキャップの取り付けが容易であり、且つ、当該キャップの抜けがより確実に防止される携帯電子機器を提供することにある。
【課題を解決するための手段】
【０００８】
本発明の携帯電子機器は、インターフェース部と、当該インターフェース部が取り付けられる回路基板と、開口部を有するとともに当該開口部から前記インターフェース部が露出されるよう前記回路基板を内包する筐体と、前記開口部をふさぐキャップとを備え、前記キャップは、一端から延在されるとともに先端に厚肉部が形成され、前記筐体に係合する係合舌片を有し、前記筐体は、前記キャップが取り付けられた際にキャップ外側面と連続する表面を形成する第１の壁部と、当該第１の壁部から筺体内側に入り込むとともに前記キャップが取り付けられた際にキャップ内側面に対向する第２の壁部とを有し、前記開口部は、前記第２の壁部に形成され、前記第１の壁部と第２の壁部との間には、前記係合舌片の入り込む係合孔が、前記第２の壁部が当該係合孔を規定する孔縁部の一部を成すよう形成され、前記係合舌片が前記係合孔に挿入される際、前記第２の壁部が内側に撓むことにより前記厚肉部の嵌入を許容し、前記第２の壁部が撓む前の形状に復元することにより前記厚肉部の抜けを防止する。
【０００９】
好適には、前記回路基板のうち前記第２の壁部の筐体内側面に沿う縁部には、前記係合舌片が前記係合孔に挿入される際の前記第２の壁部の撓みを許容する切り欠き部が形成されている。
【００１０】
好適には、前記回路基板のうち前記第２の壁部の筐体内側面に沿う縁部の少なくとも一部は、前記係合孔から離れた位置にて前記第２の壁部に当接している。
【００１１】
好適には、前記第２の壁部は、前記孔縁部の一部を成す部分が前記第１の壁部の筐体内側位置まで延長されて構成されている。
【００１２】
好適には、前記筐体は、互いに対向して固定される第１の筐体及び第２の筐体を有し、前記第１の筐体は、前記第２の筐体側へ突出し、縁部が前記第２の筐体に突き当てられ、前記第２の壁部の少なくとも一部を構成する第３の壁部を有し、前記係合舌片が前記係合孔に挿入される際の前記第２の壁部の撓みには、前記第３の壁部の前記縁部を自由端とする前記第３の壁部の撓みが含まれる。
【００１３】
好適には、前記第２の壁部は、前記第１の壁部よりも薄く形成されている。
【００１４】
好適には、前記肉厚部は、前記係合孔への挿入方向に垂直な断面形状が、前記第３の壁部の前記縁部側ほど幅広く形成されている。
【発明の効果】
【００１５】
本発明によれば、インターフェース部をカバーするキャップの取り付けを容易に行うことができ、且つ、当該キャップの抜けがより確実に防止できる。
【発明を実施するための最良の形態】
【００１６】
図１は、本発明の実施形態に係る携帯電話機１の外観を開状態で示す斜視図である。携帯電話機１は、いわゆる折り畳み式の携帯電話機として構成されており、開状態と閉状態との間で互いに回動可能に連結された受話筐体２及び送話筐体３を備えている。受話筐体２及び送話筐体３は、それぞれの端部が回動の中心となる連結部４により連結されることにより携帯電話機１全体の筐体を構成するようになっている。
【００１７】
受話筐体２及び送話筐体３は、それぞれ概ね薄型直方体状に形成されており、閉状態では互いに重ねあわされて互いの輪郭が略一致する。受話筐体２には、例えば、通話用のスピーカ（不図示）、画像や文字を表示する表示部６が設けられている。送話筐体３には、例えば、通話用のマイクロフォン（不図示）、ユーザの操作を受け付ける操作部７、報知用のスピーカ（不図示）が設けられている。
【００１８】
連結部４は、送話筐体３に形成された凹部１０に、受話筐体２に形成された凸部９が嵌合して構成されている。凸部９と凹部１０の摺動面には不図示の筒状部材が携帯電話機１の幅方向（図１の紙面左右方向）に挿通され、当該筒状部材を回転軸として携帯電話機１は回転する。
【００１９】
送話筐体３は、閉状態で受話筐体２に対向する面側のフロントケース２１と、その背面側のリアケース２２と、リアケース２２の背面側に被せられる蓋体２３とを備えている。フロントケース２１及びリアケース２２の間には各種の電子部品が収納され、リアケース２２及び蓋体２３の間にはバッテリが収納される。フロントケース２１、リアケース２２及び蓋体２３は、例えば非導電性の樹脂によりそれぞれ成形されている。フロントケース２１とリアケース２２とは、例えば、フロントケース２１に挿通されたネジ（不図示）がリアケース２２に形成されたネジボス２４（図３（ａ）参照）に螺合されることにより互いに固定される。
【００２０】
送話筐体３の側面３ａ側には、携帯電話機１とパーソナルコンピュータ等の他の機器とを接続するためのコネクタ２５が設けられている。コネクタ２５は、送話筐体３に内包される回路基板２６（図４参照）に設けられ、側面３ａから露出可能である。コネクタ２５には、他の機器から延在する不図示のケーブルに設けられた不図示のコネクタが接続される。
【００２１】
図２（ａ）は、送話筐体３のフロントケース２１及びリアケース２２を側面３ａ側から見た斜視図である。
【００２２】
フロントケース２１は、受話筐体２に対向する対向面部３３と、対向面部３３の周囲を囲むように対向面部３３に対して略直交する方向に延びる外周面部３４とを有している。図２（ａ）に示すように、外周面部３４には、側面３ａの一部を構成するフロント第１壁部３５及びフロント第２壁部３６が含まれている。フロント第１壁部３５の縁部３５ａ及びフロント第２壁部３６の縁部３６ａは自由端となっている。フロント第１壁部３５及びフロント第２壁部３６は同一方向を向く略平板状であり、フロント第２壁部３６は、フロント第１壁部３５から筐体内側に一段入り込むように形成されている。
【００２３】
リアケース２２は、フロントケース２１の対向面部３３と回路基板２６等を挟んで積層的に配置される背面部３８と、背面部３８の周囲を囲むように背面部３８に対して略直交する方向に延びる外周面部３９とを有している。外周面部３９には、側面３ａの一部を構成するリア第１壁部４０及びリア第２壁部４１が含まれている。リア第１壁部４０の縁部４０ａ及びリア第２壁部４１の縁部４１ａは自由端となっている。リア第１壁部４０及びリア第２壁部４１は同一方向を向く略平板状であり、リア第２壁部４１は、リア第１壁部４０から筐体内側へ一段入り込むように形成されている。
【００２４】
フロントケース２１とリアケース２２とは、フロント第１壁部３５の縁部３５ａとリア第１壁部４０の縁部４０ａとが突き合わされ、フロント第２壁部３６の縁部３６ａとリア第２壁部４１の縁部４１ａとが突き合わされるように重ね合わされて固定される。なお、フロント第１壁部３５の筐体外側面（表面）はリア第１壁部４０の筐体外側面より若干筐体外側に位置している。フロント第２壁部３６の筐体外側面はリア第２壁部４１の筐体外側面に連続している。フロント第２壁部３６及びリア第２壁部４１がフロント第１壁部３５及びリア第１壁部４０から筐体内側に入り込むことにより、側面３ａには凹部４３が形成されている。
【００２５】
凹部４３には、フロント第２壁部３６の縁部３６ａに形成された切り欠き部３６ｂとリア第２壁部４１の縁部４１ａに形成された切り欠き部４５ｂとにより、コネクタ２５を筐体外部へ露出させるための開口部４５が形成されている。
【００２６】
図２（ｂ）は、コネクタ２５を保護するために側面３ａに取り付けられるキャップ５１の外観斜視図である。なお、図２（ｂ）において、紙面奥手側が筐体外側である。
【００２７】
キャップ５１は、開口部４５を被覆可能な被覆部５２と、被覆部５２を送話筐体３に装着するための装着部５３とを備えている。
【００２８】
被覆部５２は、例えばＡＢＳ樹脂などにより構成されており、比較的剛性が高い。例えば、送話筐体３と同等の剛性を有していてもよい。被覆部５２は、長尺な板状に概ね形成され、凹部４３の面積と略同等の面積を有している。換言すれば、被覆部５２は凹部４３に嵌合挿入可能である。
【００２９】
装着部５３は、例えばゴムやエラストマなどの弾性部材により構成されている。換言すれば、被覆部５２よりも剛性の低い部材により構成されている。装着部５３は、長尺な板状に概ね形成され、被覆部５２に積層されて固定されている。被覆部５２と装着部５３との固定は、例えば熱溶着により行われている。
【００３０】
装着部５３は、被覆部５２よりも細く、被覆部５２よりも長尺に概ね形成されており、被覆部５２と重なる積層部５４と、被覆部５２と重ならない係合舌片５５とを有している。換言すれば、キャップ５１は、被覆部５２及び積層部５４により構成される本体部５６と、一端から延在される係合舌片５５とを有している。
【００３１】
フロント第２壁部３６は、フロント第１壁部３５から本体部５６の厚さ相当筐体内側に入り込んでいる。従って、本体部５６（被覆部５２）を凹部４３に嵌合挿入すると、本体部５６（被覆部５２）の筐体外側面は、フロント第１壁部３５と連続する表面を形成する。
【００３２】
本体部５６の凹部４３への着脱（開口部４５の開閉）は、被覆部５２に形成された第１爪部６１と、装着部５３の積層部５４に形成された第２爪部６２とにより行われる。第１爪部６１は、内側（筐体側）に突出するとともに、係合舌片５５の延在する方向へ突出している。また、第２爪部６２は、内側に突出するとともに、係合舌片５５の延在する方向とは反対方向へ突出している。
【００３３】
一方、図２（ａ）に示すように、凹部４３には、リアケース２２のリア第２壁部４１の縁部４１ａに形成された切り欠き部によって、第１爪部６１を挿入及び係合可能な第１孔部６３と、第２爪部６２を挿入及び係合可能な第２孔部６４とが形成されている。
【００３４】
従って、第１爪部６１を第１孔部６３に挿入及び係合させた状態で、第２爪部６２を弾性変形させつつ第２孔部６４に挿入及び係合させることにより、本体部５６を凹部４３に装着可能であり、また、第１爪部６１を第１孔部６３に挿入及び係合させた状態で、第２爪部６２を弾性変形させつつ第２孔部６４から引き抜くことにより、本体部５６を凹部４３から取り外し可能である。
【００３５】
係合舌片５５は、本体部５６を凹部４３から取り外したときに、本体部５６が送話筐体３から分離して紛失されることを防止するために、本体部５６の凹部４３への着脱を許容しつつ本体部５６を送話筐体３に対して固定するものである。
【００３６】
係合舌片５５は、先端に肉厚部６６を有している。一方、送話筐体３の側面３ａには、図２（ａ）に示すように、肉厚部６６が挿入される係合孔４６が形成されている。肉厚部６６が係合孔４６に挿入され、肉厚部６６が送話筐体３の筐体内側面のうち係合孔４６の周囲部分に係合することにより、係合舌片５５の抜けが防止され、ひいては、本体部５６の送話筐体３からの分離が防止される。
【００３７】
係合舌片５５は、肉厚部６６と本体部５６との間に延在部６７を有している。延在部６７は係合孔４６に挿入可能である。従って、本体部５６を凹部４３へ取り付けたときには、延在部６７が係合孔４６に挿入され、肉厚部６６は係合孔４６よりも更に筐体内側へ移動する。また、本体部５６を凹部４３から取り外したときには、延在部６７が係合孔４６から引き出され、かつ、延在部６７が撓むことにより、肉厚部６６を係合孔４６の周囲に係合させた状態での本体部５６の凹部４３からの取り外しが許容される。
【００３８】
図３（ａ）は、フロントケース２１の係合孔４６付近を拡大して示す斜視図であり、図３（ｂ）は、肉厚部６６を拡大して示す斜視図である。
【００３９】
図３（ａ）に示すように、係合孔４６は、フロント第１壁部３５及びフロント第２壁部３６の間に設けられている。具体的には、係合孔４６は、フロント第１壁部３５及びフロント第２壁部３６の段差部３７に切り欠き部６８が形成されることにより構成されており、係合孔４６を規定する孔縁部４７は、フロント第１壁部３５、フロント第２壁部３６及びリア第１壁部４０（図２（ａ））により形成されている。フロント第２壁部３６の端部３６ｃは、フロント第１壁部３５のうちフロント第２壁部３６側の端部３５ｃよりも、紙面奥手側に位置している。換言すれば、フロント第２壁部３６は、孔縁部４７の一部を形成する部分がフロント第１壁部３５の筐体内側位置まで延長されて構成されている。フロント第２壁部３６は、フロント第１壁部３５よりも薄く形成されている。すなわち、フロント第２壁部３６は、フロント第１壁部３５よりも剛性が低くなるように形成されている。
【００４０】
図３（ｂ）に示すように、肉厚部６６は、平面形状（紙面上方から見た形状）が先端側を頂点とする三角形に概ね形成され、傾斜面６６ａと、直交面６６ｂとを有している。また、肉厚部６６は、矢印ｙ１及びｙ２の長さの差で示すように、係合孔４６への挿入方向（紙面左右方向）に直交する断面形状が、フロント第２壁部３６の縁部３６ａ側ほど幅広になるように形成されている。
【００４１】
肉厚部６６を先端から係合孔４６に挿入していくと、傾斜面６６ａがフロント第２壁部３６を摺動し、フロント第２壁部３６には、係合孔４６の面積を広げる方向（筐体内側方向）への力が加えられる。従って、図３（ａ）において太い実線Ｌ１で示すように、フロント第２壁部３６のうちフロント第１壁部３５側の端部３６ｃを自由端とする撓み及びフロント第２壁部３６のうちリアケース２２側の縁部３６ａを自由端とする撓みにより、係合孔４６は拡径する。なお、拡径後の係合孔４６の形状は、縁部３６ａを自由端とする撓みにより、縁部３６ａ側ほど幅広な形状となる。
【００４２】
そして、係合孔４６の拡径により肉厚部６６の係合孔４６への嵌入が許容される。肉厚部６６が係合孔４６を通過すると、フロント第２壁部３６は撓む前の形状に復元し、肉厚部６６の直交面６６ｂが係合孔４６に係合され、肉厚部６６の抜けが防止される。
【００４３】
図４は、回路基板２６をフロントケース２１に取り付けた状態で切り欠き部６８（係合孔４６）付近を示す斜視図である。
【００４４】
回路基板２６は、例えば、樹脂をベースとしたプリント配線基板により構成され、送話筐体３の面積よりも若干面積の小さい概ね矩形状に形成されている。回路基板２６には、特に図示しないが、コネクタ２５の他に、例えば、高周波回路を含んで構成され、電波を利用した無線通信を行うための無線通信部、操作部７からの入力信号等の各種信号に基づいて表示部６や不図示のカメラ等の各種装置の動作を制御する制御部が設けられている。コネクタ２５は、例えば、回路基板２６を介して制御部等の各部と電気的に接続され、音響データや画像データ等の各種データをダウンロード又はアップロードするための信号を出力及び入力可能である。
【００４５】
なお、フロントケース２１とリアケース２２との間には、特に図示しないが、例えば、フロントケース２１側から、操作部７の複数のキーが配置されるキーシート、操作部７の複数のキーに対応する複数の押圧スイッチが配置されるフレキシブルプリント配線板、回路基板２６をシールドするシールドケース、及び、回路基板２６が積層的に配置されている。回路基板２６は、フロントケース２１とリアケース２２とにより、シールドケース等と共に挟持されることにより送話筐体３内に固定されている。また、回路基板２６は、ネジボス２４等が回路基板２６の縁部に当接することにより、回路基板２６の実装面に沿う方向において送話筐体３内に対して固定されている。
【００４６】
回路基板２６は、フロント第１壁部３５及びフロント第２壁部３６に沿う縁部２７を有している。縁部２７は、フロント第２壁部３６の内側面に当接する当接部２７ａと、当接部２７ａより係合孔４６側に形成された切り欠き部２７ｂとを有している。当接部２７ａは、フロント第２壁部３６の内側面に当接することにより、例えば、回路基板２６のフロントケース２１に対する位置決め及びフロント第２壁部３６の強度補強に寄与している。切り欠き部２７ｂは、縁部２７のうち係合孔４６（フロント第２壁部３６の端部３６ｃ）に対向する位置を含む所定範囲に亘って形成されており、フロント第２壁部３６の係合孔４６付近の撓み、すなわち、肉厚部６６を係合孔４６に挿入する際のフロント第２壁部３６の撓みを許容している。当接部２７ａのうち切り欠き部２７ｂとの境界位置２７ｃは、フロント第２壁部３６の撓みの支点を構成する。
【００４７】
以上の実施形態によれば、係合舌片５５が係合孔４６に挿入される際、フロント第２壁部３６が内側に撓むことにより厚肉部６６の嵌入を許容し、フロント第２壁部３６が撓む前の形状に復元することにより厚肉部６６の抜けを防止することから、キャップ５１の取り付けが容易であり、且つ、キャップ５１の抜けがより確実に防止される。すなわち、フロント第２壁部３６は、肉厚部６６の挿入時に肉厚部６６の傾斜面６６ａにより筐体内側への力が加えられたときには撓むが、肉厚部６６の引抜時に肉厚部６６の直交面６６ｂによりフロント第２壁部３６の壁面に沿う方向に力を加えられても撓まないから、従来のように係合部の弾性のみにより挿入していた場合に比較して挿入しやすく抜け難い。しかも、キャップ５１により開口部４５を塞いだときに、キャップ５１の外側面が送話筐体３の表面と連続するように、キャップ５１の内側面に対向するフロント第２壁部３６がフロント第１壁部３５よりも一段入り込んで形成されているところ、そのフロント第１壁部３５に対するフロント第２壁部３６の撓みを利用していることから、肉厚部６６の嵌入を許容又は禁止するように撓み又は復元する壁部を新たに設ける必要性はなく、係合孔４６をフロント第１壁部３５及びフロント第２壁部３６の間に設けるだけでよく、構成が簡素である。
【００４８】
回路基板２６は、フロント第２壁部３６の筐体内側面に沿う縁部２７に、フロント第２壁部３６の撓みを許容可能に切り欠き部２７ｂが形成されていることから、回路基板２６の面積を極力広く確保しつつ、フロント第２壁部３６の撓みを許容できる。
【００４９】
回路基板２６は、フロント第２壁部３６の筐体内側面に沿う縁部２７に、係合孔４６から離れた位置にてフロント第２壁部３６に当接する当接部２７ａが形成されていることから、フロント第２壁部３６は当接部２７ａのうち切り欠き部２７ｂとの境界位置２７ｃを支点として撓むことになり、必要以上にフロント第２壁部３６が撓むことが防止され、係合舌片５５の意図しない抜けが防止される。
【００５０】
フロント第２壁部３６は、係合孔４６を形成する部分が、フロント第１壁部３５の筐体内側位置まで延長されて構成されていることから、係合舌片５５は、係合孔４６において、フロント第１壁部３５及びフロント第２壁部３６の互いに対向する面により、挿入方向へ案内される。従って、係合舌片５５の挿入が容易である。
【００５１】
係合孔４６は、フロント第２壁部３６の縁部３６ａ側の部分等により形成されているから、縁部３６ａを自由端とする撓みにより拡径し易い。
【００５２】
フロント第２壁部３６は、フロント第１壁部３５よりも薄く形成されていることから、フロント第２壁部３６の撓みにより肉厚部６６の係合孔４６への挿入を許容しつつ、フロント第１壁部３５の剛性、ひいては、送話筐体３の剛性を高くすることができる。
【００５３】
肉厚部６６は、直交面６６ｂが復元後の係合孔４６に対して大きいほど抜けが防止される。その一方で、直交面６６ｂの面積が大きくなると、肉厚部６６を係合孔４６へ嵌入するためには係合孔４６を大きく拡径しなければならず、肉厚部６６を嵌入し難くなる。しかし、肉厚部６６は、係合孔４６の拡径の程度がより大きいフロント第２壁部３６の縁部３６ａ側ほど幅広に形成されていることから、容易に嵌入することができ、かつ、抜けを確実に防止できる。
【００５４】
なお、以上の実施形態において、携帯電話機１は本発明の携帯電子機器の一例であり、コネクタ２５は本発明のインターフェース部の一例であり、送話筐体３、又は、送話筐体３及び受話筐体２は本発明の筐体の一例であり、フロント第１壁部３５、又は、フロント第１壁部３５及びリア第１壁部４０は本発明の第１の壁部の一例であり、フロント第２壁部３６、又は、フロント第２壁部３６及びリア第２壁部４１は本発明の第２の壁部の一例であり、フロントケース２１は本発明の第１の筐体の一例であり、リアケース２２は本発明の第２の筐体の一例であり、フロント第２壁部３６は本発明の第３の壁部の一例である。
【００５５】
本発明は以上の実施形態に限定されず、種々の態様で実施してよい。
【００５６】
携帯電子機器は、筐体の開口部を介してインターフェース部が露出されるものであればよく、携帯電話機に限定されない。例えば、ノートパソコン、ＰＤＡ、デジタルカメラでもよい。
【００５７】
インターフェース部は、筐体の開口部を介して他の機器と情報の送信及び受信のうち少なくとも一方を行うことができればよく、ケーブルを接続するためのコネクタに限定されない。例えば、赤外線通信を行うための発光素子や受光素子、イヤホンジャック、データ通信用コネクタ、着脱用半導体記録メモリのスロットであってもよい。
【００５８】
係合孔は、第１の壁部と第２の壁部との間に形成され、第２の壁部の撓みにより拡径するものであればよい。従って、第１の壁部の端部と第２の壁部の端部とが互いに対向するように第２の壁部が第１の壁部の筐体内側位置まで延長されていなくてもよい。
【００５９】
肉厚部は、係合孔に挿入されて筐体に係合可能であればよく、適宜な形状としてよい。例えば、図５に示すキャップ５１′の肉厚部６６′のように、挿入方向に直交する断面形状が、フロント第２壁部３６の縁部３６ａ側と、根元側とで同一の幅となるものであってもよい。
【００６０】
キャップが取り付けられた際にキャップ外側面及び第１の壁部により形成される連続する表面は、段差がないことを意味しない。例えば、キャップ外側面及び第１の壁部の壁面の一方が他方に対して高く、連続する表面に段差があってもよい。キャップ外側面と第１の壁部の壁面とが同一方向を向いて隣接し、第２の壁部が第１の壁部から筐体内側に入り込むことにより、キャップ外側面と第１の壁部の壁面との段差がキャップの厚み以下に縮小されていれば、連続する表面である。
【００６１】
筐体が第１の筐体及び第２の筐体が固定されて構成されるものである場合、第１の壁部及び第２の壁部は、第１の筐体のみによって構成されてもよいし、第１の筐体及び第２の筐体によって構成されてもよい。
【図面の簡単な説明】
【００６２】
【図１】本発明の実施形態の携帯電話機の外観斜視図。
【図２】図１の携帯電話機の送話筐体及びキャップを示す斜視図。
【図３】図２の送話筐体の一部及びキャップの一部の拡大図。
【図４】図２の送話筐体に回路基板を配置して示す斜視図。
【図５】キャップの変形例を示す図。
【符号の説明】
【００６３】
１…携帯電話機（携帯電子機器）、２５…コネクタ（インターフェース部）、２６…回路基板、４５…開口部、３…送話筐体、５１…キャップ、６６…厚肉部、５５…係合舌片、３５…フロント第１壁部（第１の壁部）、３６…フロント第２壁部（第２の壁部）、４０…リア第１壁部（第１の壁部）、４１…リア第２壁部（第２の壁部）。
【図１】
2007324714.tif 000003
【図２】
2007324714.tif 000004
【図３】
2007324714.tif 000005
【図４】
2007324714.tif 000006
【図５】
2007324714.tif 000007